(57)【要約】      （修正有）【課題】ベアラのサービス品質クラス識別子を選択する方法を提供する。【解決手段】エンティティがベアラの未知のサービス品質パラメータ（たとえば、クラス識別子）を含むメッセージを受信した場合、エンティティは、既知のサービス品質パラメータのセットからベアラのサービス品質パラメータを選択する。未知のサービス品質パラメータが保証ビットレートベアラに関連すると判断したとき、セットから、保証ビットレートサービス品質パラメータが選択される。未知のサービス品質パラメータが保証ビットレートベアラに関連しないと判断したとき、セットから、非保証ビットレートサービス品質パラメータが選択される。【選択図】図２
2014239454.tif 000002
【特許請求の範囲】
【請求項１】
ベアラのサービス品質クラス識別子を含むメッセージを受信することと、
前記受信したサービス品質クラス識別子が、定義されたサービス品質クラス識別子のセット中に含まれていないと判断することと、
前記判断の結果として前記セットから前記ベアラの別のサービス品質クラス識別子を選択することと
を備える、通信の方法。
【請求項２】
前記受信したサービス品質クラス識別子が保証ビットレートベアラに対応するかどうかを判断することをさらに備え、
前記別のサービス品質クラス識別子の前記選択は、前記受信したサービス品質クラス識別子が保証ビットレートベアラに対応するかどうかの前記判断に基づく、
請求項１に記載の方法。
【請求項３】
前記受信したサービス品質クラス識別子が保証ビットレートベアラに対応する場合、前記セットから保証ビットレートに関連するサービス品質クラス識別子が選択されるか、または
前記受信したサービス品質クラス識別子が保証ビットレートベアラに対応しない場合、前記セットから保証ビットレートに関連しないサービス品質クラス識別子が選択される、
請求項２に記載の方法。
【請求項４】
前記受信したサービス品質クラス識別子が保証ビットレートベアラに対応するかどうかの前記判断は、前記メッセージがビットレート情報を含んでいるかどうかを判断することを備える、請求項２に記載の方法。
【請求項５】
前記ビットレート情報が、少なくとも１つの保証ビットレート、少なくとも１つの最大ビットレート、または少なくとも１つの保証ビットレートおよび少なくとも１つの最大ビットレートを備える、請求項４に記載の方法。
【請求項６】
前記メッセージが前記ベアラのサービス品質情報要素をさらに含み、
前記サービス品質クラス識別子と前記ビットレート情報とが前記サービス品質情報要素中に含まれる、
請求項４に記載の方法。
【請求項７】
前記受信したサービス品質クラス識別子が値からなり、
前記受信したサービス品質クラス識別子が保証ビットレートベアラに対応するかどうかの前記判断は、前記値が、保証ビットレートベアラに対応する定義された値のセットのメンバーであるかどうかを判断することを備える、
請求項２に記載の方法。
【請求項８】
前記別のサービス品質クラス識別子の前記選択が、前記セットから最高サービス品質に関連するサービス品質クラス識別子を選択することを備える、請求項１に記載の方法。
【請求項９】
前記別のサービス品質クラス識別子の前記選択が、前記セットから最低サービス品質に関連するサービス品質クラス識別子を選択することを備える、請求項１に記載の方法。
【請求項１０】
前記別のサービス品質クラス識別子の前記選択が、前記セットからサービス品質クラス識別子をランダムに選択することを備える、請求項１に記載の方法。
【請求項１１】
前記別のサービス品質クラス識別子の前記選択が、前記受信したサービス品質クラス識別子に関連する帯域幅に最もぴったり一致する帯域幅に関連するサービス品質クラス識別子を選択することを備える、請求項１に記載の方法。
【請求項１２】
前記メッセージが進化型パケットシステムセッション管理メッセージを備える、請求項１に記載の方法。
【請求項１３】
前記メッセージがアクセス端末によって受信され、
前記アクセス端末が、前記選択された別のサービス品質クラス識別子に基づいて、前記ベアラを介して情報を送信および受信するためのサービス品質パラメータを指定する、
請求項１に記載の方法。
【請求項１４】
前記メッセージが、専用ベアラコンテキストアクティブ化要求、デフォルトベアラコンテキストアクティブ化要求、またはベアラコンテキスト変更要求を備える、請求項１３に記載の方法。
【請求項１５】
前記メッセージがネットワークエンティティによってアクセス端末から受信され、
前記ネットワークエンティティが、前記ベアラのサービス品質パラメータを指定するために、前記選択されたサービス品質クラス識別子を含む別のメッセージを前記アクセス端末に送る、
請求項１に記載の方法。
【請求項１６】
前記メッセージがベアラリソース割振り要求またはベアラリソース修正要求を備え、
前記別のメッセージが、専用ベアラコンテキストアクティブ化要求またはベアラコンテキスト変更要求を備える、
請求項１５に記載の方法。
【請求項１７】
ベアラのサービス品質クラス識別子を含むメッセージを受信するように構成された受信機と、
前記受信したサービス品質クラス識別子が、定義されたサービス品質クラス識別子のセット中に含まれていないと判断するように構成され、前記判断の結果として前記セットから前記ベアラの別のサービス品質クラス識別子を選択するようにさらに構成されたベアラコントローラと
を備える、通信のための装置。
【請求項１８】
前記ベアラコントローラは、前記受信したサービス品質クラス識別子が保証ビットレートベアラに対応するかどうかを判断するようにさらに構成され、
前記別のサービス品質クラス識別子の前記選択は、前記受信したサービス品質クラス識別子が保証ビットレートベアラに対応するかどうかの前記判断に基づく、
請求項１７に記載の装置。
【請求項１９】
前記受信したサービス品質クラス識別子が保証ビットレートベアラに対応するかどうかの前記判断は、前記メッセージがビットレート情報を含んでいるかどうかを判断すること
を備える、請求項１８に記載の装置。
【請求項２０】
前記ビットレート情報が、少なくとも１つの保証ビットレート、少なくとも１つの最大ビットレート、または少なくとも１つの保証ビットレートおよび少なくとも１つの最大ビットレートを備える、請求項１９に記載の装置。
【請求項２１】
前記メッセージが前記ベアラのサービス品質情報要素をさらに含み、
前記サービス品質クラス識別子と前記ビットレート情報とが前記サービス品質情報要素中に含まれる、
請求項１９に記載の装置。
【請求項２２】
前記受信したサービス品質クラス識別子が値からなり、
前記受信したサービス品質クラス識別子が保証ビットレートベアラに対応するかどうかの前記判断は、前記値が、保証ビットレートベアラに対応する定義された値のセットのメンバーであるかどうかを判断することを備える、
請求項１８に記載の装置。
【請求項２３】
前記装置がアクセス端末を備え、
前記ベアラを介して情報を送信および受信するためのサービス品質パラメータが、前記選択された別のサービス品質クラス識別子に基づいて指定される、
請求項１７に記載の装置。
【請求項２４】
前記メッセージが、専用ベアラコンテキストアクティブ化要求、デフォルトベアラコンテキストアクティブ化要求、またはベアラコンテキスト変更要求を備える、請求項２３に記載の装置。
【請求項２５】
ベアラのサービス品質クラス識別子を含むメッセージを受信するための手段と、
前記受信したサービス品質クラス識別子が、定義されたサービス品質クラス識別子のセット中に含まれていないと判断するための手段と、
前記判断の結果として前記セットから前記ベアラの別のサービス品質クラス識別子を選択するための手段と
を備える、通信のための装置。
【請求項２６】
前記受信したサービス品質クラス識別子が保証ビットレートベアラに対応するかどうかを判断するための手段をさらに備え、
前記別のサービス品質クラス識別子の前記選択は、前記受信したサービス品質クラス識別子が保証ビットレートベアラに対応するかどうかの前記判断に基づく、
請求項２５に記載の装置。
【請求項２７】
前記受信したサービス品質クラス識別子が保証ビットレートベアラに対応するかどうかの前記判断は、前記メッセージがビットレート情報を含んでいるかどうかを判断すること
を備える、請求項２６に記載の装置。
【請求項２８】
前記ビットレート情報が、少なくとも１つの保証ビットレート、少なくとも１つの最大ビットレート、または少なくとも１つの保証ビットレートおよび少なくとも１つの最大ビットレートを備える、請求項２７に記載の装置。
【請求項２９】
前記メッセージが前記ベアラのサービス品質情報要素をさらに含み、
前記サービス品質クラス識別子と前記ビットレート情報とが前記サービス品質情報要素中に含まれる、
請求項２７に記載の装置。
【請求項３０】
前記受信したサービス品質クラス識別子が値からなり、
前記受信したサービス品質クラス識別子が保証ビットレートベアラに対応するかどうかの前記判断は、前記値が、保証ビットレートベアラに対応する定義された値のセットのメンバーであるかどうかを判断することを備える、
請求項２６に記載の装置。
【請求項３１】
前記装置がアクセス端末を備え、
前記ベアラを介して情報を送信および受信するためのサービス品質パラメータが、前記選択された別のサービス品質クラス識別子に基づいて指定される、
請求項２５に記載の装置。
【請求項３２】
前記メッセージが、専用ベアラコンテキストアクティブ化要求、デフォルトベアラコンテキストアクティブ化要求、またはベアラコンテキスト変更要求を備える、請求項３１に記載の装置。
【請求項３３】
ベアラのサービス品質クラス識別子を含むメッセージを受信することと、
前記受信したサービス品質クラス識別子が、定義されたサービス品質クラス識別子のセット中に含まれていないと判断することと、
前記判断の結果として前記セットから前記ベアラの別のサービス品質クラス識別子を選択することと
をコンピュータに行わせるためのコードを備えるコンピュータ可読媒体
を備える、コンピュータプログラム製品。
【請求項３４】
前記コンピュータ可読媒体は、前記受信したサービス品質クラス識別子が保証ビットレートベアラに対応するかどうかを判断することを前記コンピュータに行わせるためのコードをさらに備え、
前記別のサービス品質クラス識別子の前記選択は、前記受信したサービス品質クラス識別子が保証ビットレートベアラに対応するかどうかの前記判断に基づく、
請求項３３に記載のコンピュータプログラム製品。
【請求項３５】
前記受信したサービス品質クラス識別子が保証ビットレートベアラに対応するかどうかの前記判断は、前記メッセージがビットレート情報を含んでいるかどうかを判断すること
を備える、請求項３４に記載のコンピュータプログラム製品。
【請求項３６】
前記ビットレート情報が、少なくとも１つの保証ビットレート、少なくとも１つの最大ビットレート、または少なくとも１つの保証ビットレートおよび少なくとも１つの最大ビットレートを備える、請求項３５に記載のコンピュータプログラム製品。
【請求項３７】
前記メッセージが前記ベアラのサービス品質情報要素をさらに含み、
前記サービス品質クラス識別子と前記ビットレート情報とが前記サービス品質情報要素中に含まれる、
請求項３５に記載のコンピュータプログラム製品。
【請求項３８】
前記受信したサービス品質クラス識別子が値からなり、
前記受信したサービス品質クラス識別子が保証ビットレートベアラに対応するかどうかの前記判断は、前記値が、保証ビットレートベアラに対応する定義された値のセットのメンバーであるかどうかを判断することを備える、
請求項３４に記載のコンピュータプログラム製品。
【請求項３９】
前記メッセージがアクセス端末によって受信され、
前記アクセス端末が、前記選択された別のサービス品質クラス識別子に基づいて、前記ベアラを介して情報を送信および受信するためのサービス品質パラメータを指定する、
請求項３３に記載のコンピュータプログラム製品。
【請求項４０】
前記メッセージが、専用ベアラコンテキストアクティブ化要求、デフォルトベアラコンテキストアクティブ化要求、またはベアラコンテキスト変更要求を備える、請求項３９に記載のコンピュータプログラム製品。
【発明の詳細な説明】
【優先権の主張】
【０００１】
本出願は、その開示が参照により本明細書に組み込まれる、２００９年６月２２日に出願され、弁理士整理番号第０９２６００Ｐ１号を付与された、同一出願人が所有する米国特許仮出願第６１／２１９，３０９号の利益および優先権を主張する。
【技術分野】
【０００２】
本出願は、一般に通信に関し、より詳細には、限定はしないが、ベアラ(bearer)のサービス品質パラメータを指定することに関する。
【背景技術】
【０００３】
ワイヤレス通信ネットワークは、画定された地理的エリア内のユーザに様々なタイプのサービス（たとえば、ボイス、データ、マルチメディアサービスなど）を提供するために、その地理的エリアにわたって展開され得る。典型的な実装形態では、ネットワークによってサービスされる地理的エリア内で動作しているアクセス端末（たとえば、セルフォン）にワイヤレス接続性を与えるために、（たとえば、様々なセルに対応する）アクセスポイントがネットワーク全体にわたって分散される。
【０００４】
典型的な実装形態では、アクセス端末とネットワークとの間の通信を可能にするために、アクセス端末とネットワークとの間に１つまたは複数のベアラが確立される。いくつかの態様では、そのようなベアラは、この通信のために（たとえば、特定の接続のために）アクセス端末とネットワークとの間でサポートされるべきサービス品質（ＱｏＳ;quality of service）を指定し得る。たとえば、ベアラは、レイテンシ(latency)、最大ビットレート（ＭＢＲ;maximum bit rate）、保証ビットレート（ＧＢＲ;guaranteed bit rate）、誤り率、および優先度などのＱｏＳパラメータを指定し得る。したがって、アクセス端末とネットワークとは、ベアラに対して定義されたＱｏＳパラメータに基づいて、これらのエンティティ間の通信のトラフィックフローがどのように処理されるべきかをそれぞれ判断し得る。
【０００５】
実際には、ネットワークによって採用される通信規格は継続的に発展しており、通信規格の各新しいバージョンは前のバージョンとは異なる機能をサポートし得る。たとえば、通信規格のより新しいバージョンは、通信規格の前のバージョンではサポートされなかった追加のＱｏＳパラメータをサポートし得る。したがって、アクセス端末と、アクセス端末が接続を確立しようと試みるネットワークとが、通信規格の異なるバージョンをサポートし得る可能性がある。たとえば、より古いアクセス端末がより新しいネットワークエンティティと通信しようとを試み得るか、またはより新しいアクセス端末がより古いネットワークエンティティと通信しようと試み得る。そのような場合、これらのエンティティのうちの１つは、他のエンティティによって知られていないベアラＱｏＳパラメータを採用し得る。したがって、通信を確立する試みは失敗し得る。したがって、ベアラのＱｏＳパラメータを指定するためのより有効な技法が必要である。
【発明の概要】
【０００６】
本開示の例示的な態様の概要について以下で説明する。本明細書での説明では、態様という用語への言及は、本開示の１つまたは複数の態様を指すことがある。
【０００７】
本開示は、いくつかの態様では、ベアラのＱｏＳパラメータを選択することに関する。たとえば、エンティティが、ベアラに関する未知のＱｏＳパラメータを指定したメッセージを受信すると、エンティティは、エンティティによって知られているＱｏＳパラメータのセットからそのベアラのＱｏＳパラメータを選択し得る。特定の例として、ＱｏＳクラス識別子（ＱＣＩ）を採用する実装形態では、エンティティがベアラの未知のＱＣＩを受信すると、そのエンティティは、そのエンティティによって知られているＱＣＩのセットから、そのベアラのＱＣＩを選択し得る。
【０００８】
本開示は、いくつかの態様では、受信した未知のＱｏＳパラメータが保証ビットレート（ＧＢＲ）ベアラに対応するかどうかに基づいてベアラのＱｏＳパラメータを選択することに関する。たとえば、エンティティが、ＧＢＲベアラに対応する未知のＱＣＩを受信すると、ベアラの既知のＧＢＲ  ＱＣＩを選択し得る。逆に、エンティティは、ＧＢＲベアラに対応しない未知のＱＣＩを受信すると、ベアラの既知の非ＧＢＲ  ＱＣＩを選択し得る。ここで、未知のＱＣＩがＧＢＲベアラに対応するかどうかの判断は、たとえば、ＱＣＩの値、または未知のＱＣＩとともにビットレート情報（たとえば、ＧＢＲ情報）が送られたかどうかの判断に基づき得る。
【０００９】
本開示のこれらおよび他の例示的な態様について、以下の発明を実施するための形態および添付の特許請求の範囲、ならびに添付の図面において説明する。
【図面の簡単な説明】
【００１０】
【図１】未知のＱｏＳパラメータが受信された場合、既知のＱｏＳパラメータのセットからＱｏＳパラメータを選択するように適応された通信システムのいくつかの例示的な態様の簡略ブロック図。
【図２】未知のＱｏＳパラメータが受信された場合、既知のＱｏＳパラメータのセットからＱｏＳパラメータを選択するために実行され得る動作のいくつかの例示的な態様のフローチャート。
【図３】未知のＱＣＩが受信された場合、アクセス端末が既知のＱＣＩのセットからＱＣＩを選択することに関連して実行され得る動作のいくつかの例示的な態様のフローチャート。
【図４】未知のＱＣＩが受信された場合、アクセス端末が既知のＱＣＩのセットからＱＣＩを選択することに関連して実行され得る動作のいくつかの例示的な態様のフローチャート。
【図５】未知のＱＣＩが受信された場合、ネットワークエンティティが既知のＱＣＩのセットからＱＣＩを選択することに関連して実行され得る動作のいくつかの例示的な態様のフローチャート。
【図６】未知のＱＣＩが受信された場合、ネットワークエンティティが既知のＱＣＩのセットからＱＣＩを選択することに関連して実行され得る動作のいくつかの例示的な態様のフローチャート。
【図７】ＬＴＥ（Ｌｏｎｇ  Ｔｅｒｍ  Ｅｖｏｌｕｔｉｏｎ）ネットワークのいくつかの例示的な態様の簡略ブロック図。
【図８】通信ノードにおいて採用され得る構成要素のいくつかの例示的な態様の簡略ブロック図。
【図９】通信構成要素のいくつかの例示的な態様の簡略ブロック図。
【図１０】本明細書で教示する、ＱｏＳパラメータを選択するように構成された装置のいくつかの例示的な態様の簡略ブロック図。
【発明を実施するための形態】
【００１１】
［詳細な説明］
慣例により、図面中に示された様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００１２】
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは独立に実装され得ること、およびこれらの態様のうちの２つ以上は様々な方法で組み合わせられ得ることを、当業者なら諒解されたい。たとえば、本明細書に記載の態様をいくつ使用しても、装置を実装し得、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。さらに、態様は、請求項の少なくとも１つの要素を備え得る。
【００１３】
図１に、例示的な通信システム１００（たとえば、通信ネットワークの一部）のいくつかのノードを示す。説明のために、本開示の様々な態様について、互いに通信する１つまたは複数のアクセス端末、アクセスポイントおよびネットワークエンティティのコンテキストにおいて説明する。ただし、本明細書の教示は、他のタイプの装置、または他の用語を使用して参照される他の同様の装置に適用可能であることを諒解されたい。たとえば、様々な実装形態では、アクセスポイントを基地局またはｅノードＢと呼ぶこと、あるいは基地局またはｅノードＢとして実装することがあり、アクセス端末をユーザ機器またはモバイルなどと呼ぶこと、あるいはユーザ機器または移動局などとして実装することがある。
【００１４】
システム１００中のアクセスポイントは、１つまたは複数のサービス（たとえば、ネットワーク接続性）を、システム１００のカバレージエリア内に設置され得るか、またはシステム１００のカバレージエリア全体にわたってローミングし得る１つまたは複数のワイヤレス端末（たとえば、アクセス端末１０２）に提供する。たとえば、様々な時点で、アクセス端末１０２は、アクセスポイント１０４、またはシステム１００中の何らかのアクセスポイント（図示せず）に接続し得る。これらのアクセスポイントの各々は、ワイドエリアネットワーク接続性を可能にするために、（便宜上、ネットワークノード１０６によって表される）１つまたは複数のネットワークノードと通信し得る。
【００１５】
これらのネットワークエンティティは、たとえば、１つまたは複数の無線および／またはコアネットワークエンティティなどの様々な形態をとり得る。したがって、様々な実装形態では、ネットワークエンティティは、（たとえば、運用、アドミニストレーション、管理、およびプロビジョニングエンティティによる）ネットワーク管理、呼制御、モビリティ管理、ゲートウェイ機能、インターワーキング機能のうちの少なくとも１つなどの機能、または何らかの他の好適なネットワーク機能を表し得る。いくつかの態様では、モビリティ管理は、追跡エリア、ロケーションエリア、ルーティングエリア、またはいくつかの他の好適な技法を使用することによってアクセス端末の現在のロケーションを追跡することと、アクセス端末のページングを制御することと、アクセス端末のためのアクセス制御を行うこととに関する。また、これらのネットワークエンティティのうちの２つ以上が共同設置され得るか、またはネットワークエンティティのいずれかの構成要素がネットワーク内に分散し得る。
【００１６】
アクセス端末とネットワークとの間で通信が開始されると、ネットワークは、これらのエンティティ間の通信をサポートするために１つまたは複数のベアラを確立し得る。いくつかの態様では、ベアラは、アクセス端末へのおよび／またはそれからのトラフィックのフローがネットワークおよびアクセス端末によってどのように処理されるべきかを指定する論理パイプを定義する。たとえば、ベアラは、トラフィックに適用されるべきＱｏＳを指定し得る。したがって、ベアラの確立に関連して、アクセス端末とネットワークとは、それぞれ対応するベアラコンテキストを維持する。このベアラコンテキストは、ベアラ識別子、ＱｏＳ情報、およびトラフィックフローに割り当てられた少なくとも１つのパケットフィルタを含み得る。したがって、ベアラが確立されるかまたは変更されると、各エンティティが、対応するトラフィックフローを扱う方法を知るように、アクセス端末とネットワークとはベアラコンテキスト情報を交換する。
【００１７】
ベアラの確立はアクセス端末またはネットワークによって開始され得る。たとえば、（たとえば、別のアクセス端末、サーバなどにある）アプリケーションがネットワークを介してアクセス端末と通信する必要があるとき、ネットワークはベアラセットアップメッセージをネットワークに送り得る。このベアラメッセージは、ネットワークが通信のために選択したＱｏＳパラメータを含み得る。
【００１８】
逆に、アクセス端末上のアプリケーションがネットワークと通信する必要があるとき、アクセス端末はベアラ要求メッセージをネットワークに送り得る。このベアラ要求メッセージは、アクセス端末が通信のために選択したＱｏＳパラメータを含み得る。このメッセージに応答して、ネットワークは、ベアラをセットアップするためにメッセージをアクセス端末に送り得る。このメッセージは、（たとえば、アクセス端末によって要求されたか、またはネットワークによって通信のために選択された）ＱｏＳパラメータを含み得る。
【００１９】
図１の例では、アクセス端末１０２は、ベアラを確立することに関係する動作を実行し、アクセス端末１０２とネットワークとの間にセットアップされたすべてのベアラに関係する情報を維持するためのベアラ制御構成要素１０８を含む。たとえば、場合によっては、ベアラ制御構成要素１０８は、所与のベアラのために十分であると考えられるベアラパラメータを最初に選択し得る（たとえば、ＱｏＳパラメータセレクタ１１０はベアラの適切なＱＣＩを選択し得る）。
【００２０】
ネットワークはまた、ベアラを確立し、ネットワークと、ネットワークと通信するアクセス端末との間にセットアップされたすべてのベアラに関する情報を維持するためのベアラ制御構成要素を含む。実際には、ネットワークは、大きい地理的エリアにわたって多数のアクセス端末の接続性をサポートするために、この機能を与えるいくつかのネットワークエンティティを含む。説明のために、以下の説明では、ネットワークエンティティ１０６によって表される１つのそのようなネットワークエンティティの例示的な動作に焦点を当てる。ネットワークエンティティ１０６は、場合によっては、所与のベアラのために使用すべき適切なベアラパラメータを選択するベアラ制御構成要素１１２を含む（たとえば、ＱｏＳパラメータセレクタ１１４は、ベアラの適切なＱＣＩを選択し得る）。
【００２１】
本明細書の教示によれば、未知のＱｏＳパラメータが受信された場合、アクセス端末および／またはネットワークは適切なＱｏＳパラメータを選択するための機能を含み得る。説明のために、アクセス端末１０２とネットワークエンティティ１０６の両方は、そのような機能を含むものとして図１に示されている。たとえば、アクセス端末１０２が、アクセス端末１０２によって知られていないＱｏＳパラメータ（たとえば、ＱＣＩ）を含むベアラ関連メッセージ１１６を受信した場合、ＱｏＳパラメータセレクタ１１０は、アクセス端末１０２によって知られている定義されたＱｏＳパラメータのセット１１８から対応するベアラのＱｏＳパラメータを選択し得る。同様に、ネットワークエンティティ１０６が、ネットワークエンティティ１０６によって知られていないＱｏＳパラメータ（たとえば、ＱＣＩ）を含む、ベアラ関連メッセージ１２０を受信した場合、ＱｏＳパラメータセレクタ１１４は、ネットワークエンティティ１０６によって知られている定義されたＱｏＳパラメータのセット１２２から対応するベアラのＱｏＳパラメータを選択し得る。
【００２２】
次に、本明細書の教示による、ＱｏＳパラメータを選択することに関連してエンティティ（たとえば、アクセス端末またはネットワークエンティティ）によって実行され得る例示的な動作について、図２のフローチャートに関してより詳細に説明する。便宜上、図２の動作（または、本明細書で論じるかまたは教示する他の動作）については、特定の構成要素（たとえば、図１、図７、および図８で説明する構成要素）によって実行されるものとして説明する。ただし、これらの動作は、他のタイプの構成要素によって実行され得、異なる個数の構成要素を使用して実行され得ることを諒解されたい。また、本明細書で説明する動作の１つまたは複数は、所与の実装形態では採用されない場合があることを諒解されたい。
【００２３】
図２のブロック２０２によって表されるように、ある時点において、エンティティ（以下では受信エンティティと呼ぶ）は、メッセージがベアラのＱｏＳパラメータを含む別のエンティティ（以下では他のエンティティと呼ぶ）からメッセージを受信する。たとえば、メッセージは、ベアラを確立することまたは既存のベアラを変更することに関連し得る。さらに、含まれるＱｏＳパラメータは、他のエンティティがベアラのために選択したＱｏＳの指示を含み得る。以下でより詳細に説明するように、そのようなメッセージは、ベアラ要求メッセージ、ベアラセットアップメッセージ、またはいくつかの他のタイプのメッセージを備え得る。
【００２４】
いくつかの態様では、ＱｏＳパラメータは、エンティティ間のトラフィックフローがどのように処理されるべきかを指定し得る。たとえば、ＱｏＳパラメータは、情報損失の所望のレベルまたは許容レベル（たとえば、最大パケットロス）、所望の遅延または許容遅延（たとえば、最大パケット遅延）、所望のデータレート、または必要とされるデータレート、優先度、または何らかの他の品質関連特性のうちの少なくとも１つを指定し得る。ＬＴＥベースのネットワークでは、ＱｏＳ情報はＱＣＩを備え得る。ここで、異なるＱＣＩ値が異なるタイプのトラフィックフローに割り当てられ得る。次いで、これらの異なるＱＣＩ値の各々は、たとえば、ＩＰパケットフローの保証ビットレート、ＩＰパケットフローの最大ビットレート（たとえば、統合最大ビットレート）、ＩＰパケットフローについて予想される遅延またはパケットロスのタイプ、またはＩＰパケットフローに与えられる優先度のタイプのうちの１つまたは複数の異なる値に関連付けられ得る。
【００２５】
図２のブロック２０４によって表されるように、場合によっては、受信エンティティは、受信したＱｏＳパラメータが未知であると判断する。たとえば、受信エンティティは、受信したＱｏＳパラメータが、受信エンティティがサポートするように構成された、定義されたＱｏＳパラメータのセットのメンバーでないと判断し得る。本明細書で説明するように、この状況は、たとえば、エンティティが通信規格の異なるバージョンをサポートし、異なるバージョンが異なるＱｏＳパラメータを指定する場合に起こり得る。
【００２６】
ブロック２０６によって表されるように、ブロック２０４の判断の結果として、受信エンティティは、定義されたＱｏＳパラメータのセットからベアラのＱｏＳパラメータを選択する。すなわち、未知のパラメータによるメッセージを拒否するのではなく、受信エンティティは、受信エンティティがベアラに関連する通信のために使用する別のＱｏＳパラメータを識別する。場合によっては、受信エンティティは、（たとえば、ネットワーク中の関連する通信オーバーヘッドを回避するために）他のエンティティに通知することなしにこのＱｏＳパラメータを識別し得る。したがって、受信エンティティは、所与のベアラのトラフィックフローを処理するために１つのＱｏＳパラメータを使用し得、他のエンティティは、そのベアラのトラフィックフローを処理するために別のＱｏＳパラメータを使用し得る。
【００２７】
受信エンティティは、選択されたＱｏＳパラメータが他のエンティティによって使用されるＱｏＳパラメータと同様である可能性を向上させる方法で、それのＱｏＳパラメータを選択し得る。このようにして、トラフィックフローは、潜在的に異なるＱｏＳパラメータの使用が、そのトラフィックフローに及ぼし得る悪影響を緩和するために、２つのエンティティによって同様に（または実質的に同様に）処理され得る。
【００２８】
いくつかの実装形態では、受信エンティティは、他のエンティティによって使用されるＱｏＳパラメータのビットレート特性と同様であるビットレート特性を有するＱｏＳパラメータを選択する。たとえば、受信したＱｏＳパラメータが、特定のタイプのビットレートパラメータ（たとえば、保証ビットレートおよび／または最大ビットレート）に関連する場合、受信エンティティは、同様のタイプのビットレートパラメータに関連するセットからＱｏＳパラメータを選択し得る。逆に、受信したＱｏＳパラメータがビットレートパラメータに関連しない場合、受信エンティティは、ビットレートパラメータに関連しないセットからＱｏＳパラメータを選択し得る。
【００２９】
いくつかの実装形態では、受信エンティティは、セット中で最高のＱｏＳを指定するＱｏＳパラメータを選択する。この手法は、たとえば、受信したＱｏＳパラメータが未知である理由が、このパラメータが（たとえば、通信規格のより新しいバージョンによって定義された）より新しいパラメータであることによるという仮定に基づき得る。この手法はまた、たとえば、より新しいネットワークはより高いＱｏＳ需要を処理することができるので、このパラメータが定義されたという仮定に基づき得る。したがって、これらの仮定が真である場合、受信エンティティが使用するために利用可能である最も良好なＱｏＳは、他のエンティティによって使用され得るＱｏＳに最もぴったり一致し得る。
【００３０】
いくつかの実装形態では、受信エンティティは、選択されたＱｏＳパラメータが受信エンティティにおけるパフォーマンスに及ぼし得る影響を緩和する方法でＱｏＳパラメータを選択し得る。たとえば、受信エンティティは、セット中で最低のＱｏＳを指定するＱｏＳパラメータを選択し得る。この場合、受信エンティティは、受信エンティティがこのトラフィックフローに過大なＱｏＳを割り振っていないことを保証され得る。この方式は、たとえば、受信エンティティにおいてリソースの需要が高い場合に採用され得る。
【００３１】
いくつかの実装形態では、受信エンティティはＱｏＳパラメータを単にランダムに選択し得る。そのような場合、ある時間期間にわたってＱｏＳの公平な割振りが行われ得る（たとえば、同じアプリケーションが繰り返し実行されている）。いくつかの実装形態では、受信エンティティは、受信したＱｏＳパラメータに関連する（たとえば、受信したＱｏＳパラメータ中で示される）帯域幅（たとえば、ビットレート）に最もぴったり一致するセットからＱｏＳパラメータを選択し得る。
【００３２】
ブロック２０８によって表されるように、受信エンティティは、選択されたＱｏＳパラメータを、ベアラを介した後続の通信のために使用する。たとえば、受信エンティティは、所与のビットレートと誤り率とを達成することを可能にする方法で（たとえば、電力レベルおよびレートで）情報を送り得る。さらに、受信エンティティは、異なるトラフィックフローのそれぞれの優先度に従ってそれらのトラフィックフローを処理し得る。
【００３３】
次に図３〜図７を参照すると、説明のために、本明細書の教示に従って実行され得る動作のさらなる詳細について、ＱＣＩを採用する実装形態のコンテキストにおいて説明する。手短に言えば、図３および図４のフローチャートは、アクセス端末がネットワークから未知のＱＣＩを受信したときに実行され得るいくつかの動作を示し、図５および図６のフローチャートは、ネットワークエンティティがアクセス端末から未知のＱＣＩを受信したときに実行され得るいくつかの動作を示す。図７は、図３〜図６で説明する動作などの動作を実行し得る例示的なＬＴＥベースのエンティティを示す。
【００３４】
図３のブロック３０２によって表されるように、ある時点において、アプリケーションまたは他のプロセスは、アクセス端末が接続されたネットワークを介してアクセス端末（たとえば、図７のＵＥ７０２）と通信する必要がある。たとえば、サーバがアクセス端末との情報交換を開始し得るか、または別のアクセス端末がアクセス端末への呼を開始し得る。
【００３５】
したがって、ネットワークは、通信のためのリソースを割り振り、アクセス端末とネットワークとの間で、対応するトラフィックフローのためのベアラ（たとえば、専用ベアラ）のセットアップを開始する。たとえば、ブロック３０４によって表されるように、ネットワークエンティティ（たとえば、図７のＭＭＥ７０６）は、ベアラのために使用される適切なＱＣＩを識別する。
【００３６】
いくつかの態様では、ベアラは、適用可能な場合、ＱＣＩ値と少なくとも１つのビットレート（たとえば、保証ビットレートおよび／または最大ビットレート）とによって定義され得る。したがって、特定のＱＣＩ値の指定は、セットアップされるベアラのタイプを示す。たとえば、特定のＱＣＩ値は、ベアラに固有の遅延と損失特性とに対応し得る。
【００３７】
いくつかの実装形態では、ＱＣＩの値は、そのＱＣＩがＧＢＲベアラに対応するかどうかを示し得る。たとえば、ネットワークは、ＧＢＲベアラで使用するためにＱＣＩ値の１つのセット（たとえば、値１〜１０）を割り振り、非ＧＢＲベアラで使用するためにＱＣＩ値の別のセット（たとえば、値１１〜２０）を割り振り得る。
【００３８】
ブロック３０６によって表されるように、ネットワークエンティティは、ベアラセットアップメッセージをアクセス端末に送る。このメッセージは様々な形態をとり得る。たとえば、いくつかの実装形態では、メッセージは、セッション管理（ＳＭ）メッセージ専用ベアラコンテキストアクティブ化要求、デフォルトベアラコンテキストアクティブ化要求、またはベアラコンテキスト変更要求など、発展型パケットシステム（ＥＰＳ）を備える。これらの場合のいずれかでは、メッセージは、アクティブにされるかまたは変更される（１つまたは複数の）ベアラの指示を含み得る。
【００３９】
ベアラセットアップメッセージはまた、ブロック３０４において識別されたＱＣＩを含む。いくつかの実装形態では、ベアラセットアップメッセージはＱｏＳ情報要素（ＩＥ）を含み、ＱｏＳ  ＩＥは今度はＱＣＩを含む。ベアラがＧＢＲに関連する場合、メッセージ（たとえば、ＩＥ）はまたビットレート情報（たとえば、ＧＢＲおよびＭＢＲ）を含み得る。ベアラがＧＢＲに関連しない場合、メッセージ（たとえば、ＩＥ）はビットレート情報を含まないことがあるか、またはビットレート情報に対して指定された無効値（たとえば、０）を有し得る。いくつかの実装形態では、ＩＥは、ＩＥ識別子と、ＩＥ長さと、ＱＣＩ値と、アップリンクおよびダウンリンクの（たとえば、ＧＢＲベアラに関係する）保証ビットレートと、アップリンクおよびダウンリンクの（たとえば、ＧＢＲベアラに関係する）最大ビットレートとを含む。
【００４０】
ブロック３０８〜３１２によって表されるように、アクセス端末は、ネットワークエンティティによって送られたベアラメッセージを受信し、メッセージ中に含まれるＱＣＩが既知であるかどうかを判断する。たとえば、アクセス端末は、ＱＣＩが、アクセス端末によってサポートされる（たとえば、アクセス端末のメモリに記憶されたリスト中に維持される）定義されたＱＣＩのセットのメンバーであるかどうかを判断し得る。
【００４１】
ブロック３１４によって表されるように、ＱＣＩがアクセス端末によって知られている場合、アクセス端末は、指定されたベアラを介してトラフィックを送信および受信するためにそのＱＣＩを使用する。対照的に、ＱＣＩがアクセス端末によって知られていない場合、アクセス端末は、定義されたＱＣＩのセットからベアラのＱＣＩを選択するように動作を開始する。この場合、アクセス端末はＱＣＩ不整合によりメッセージを拒否しないことに留意されたい。そうではなく、アクセス端末は、メッセージを受け付け、ＱＣＩを自律的に選択する。
【００４２】
ブロック３１６〜３２２は、アクセス端末がＧＢＲ  ＱＣＩまたは非ＧＢＲ  ＱＣＩを選択するために実行する動作に関する。ブロック３１６および３１８によって表されるように、アクセス端末は、ブロック３０８において受信されたＱＣＩがＧＢＲベアラに対応するかどうかを判断する。たとえば、上記で説明したように、これは、ＱＣＩの値がＧＢＲまたは非ＧＢＲ値に対応するかどうかを判断することに関与し得るか、またはこれは、ブロック３０８において受信されたメッセージ（たとえば、ＩＥ）が、ビットレート（たとえば、ＧＢＲおよび／またはＭＢＲ）情報を含むかどうかを判断することに関与し得る。
【００４３】
ブロック３２０によって表されるように、ＱＣＩがＧＢＲベアラに対応する場合、アクセス端末は、定義されたＱＣＩのセットからＧＢＲ  ＱＣＩを選択する。上述のように、これらのＱＣＩのうちの特定の１つの選択は、ＧＢＲ  ＱＣＩのセットから最高パフォーマンスＱＣＩ（たとえば、最高ＱｏＳをもつＱＣＩ）を選択すること、ＧＢＲ  ＱＣＩのセットから最低パフォーマンスＱＣＩ（たとえば、最低ＱｏＳをもつＱＣＩ）を選択すること、セットのＧＢＲ  ＱＣＩのうちの１つをランダムに選択すること、受信したＱＣＩに関連する帯域幅に最もぴったり一致する帯域幅に関連するＧＢＲ  ＱＣＩを選択すること、あるいは何らかの他の１つまたは複数の基準に基づいてＧＢＲ  ＱＣＩを選択することに関与し得る。
【００４４】
一方、ブロック３２２によって表されるように、ＱＣＩがＧＢＲベアラに対応しない場合、アクセス端末は、定義されたＱＣＩのセットから非ＧＢＲ  ＱＣＩを選択する。上述のように、これらのＱＣＩのうちの特定の１つの選択は、非ＧＢＲ  ＱＣＩのセットから最高パフォーマンスＱＣＩを選択すること、非ＧＢＲ  ＱＣＩのセットから最低パフォーマンスＱＣＩを選択すること、セットの非ＧＢＲ  ＱＣＩのうちの１つをランダムに選択すること、受信したＱＣＩに関連する帯域幅に最もぴったり一致する帯域幅に関連する非ＧＢＲ  ＱＣＩを選択すること、あるいは何らかの他の１つまたは複数の基準に基づいて非ＧＢＲ  ＱＣＩを選択することに関与し得る。
【００４５】
ブロック３２４によって表されるように、アクセス端末は、選択されたＱＣＩを、ベアラを介した後続の通信のために使用する。すなわち、内部動作では、アクセス端末は、ブロック３０８において受信されたＱＣＩではなく、選択されたＱＣＩを使用する。いくつかの実装形態では、そのベアラのＱＣＩ値を、ＱＣＩを送ったネットワークエンティティに通信するとき、アクセス端末は（選択されたＱＣＩではなく）ブロック３０８において受信されたＱＣＩを使用し得る。このようにして、ネットワークエンティティは、所望される場合、不整合を検出することを妨げられ得る。
【００４６】
次に図５および図６を参照すると、ブロック５０２によって表されるように、ある時点において、アクセス端末（たとえば、図７のＵＥ７０２）が、関連するネットワークを介して通信する必要がある。たとえば、アクセス端末は、ネットワークを介して到達可能であるサーバとの情報交換を開始し得るか、またはアクセス端末は、ネットワークを介して到達可能である別のアクセス端末への呼を開始し得る。
【００４７】
この場合、アクセス端末は、ネットワークにこの通信のためのリソースを割り振らせるように動作を開始し得る。ブロック５０４によって表されるように、これらの動作に関連して、アクセス端末は、対応するベアラのために使用されるべきＱＣＩを識別し得る。上記で説明したように、いくつかの実装形態では、ＱＣＩの値は、ＱＣＩがＧＢＲベアラに関連するかどうかを示す。
【００４８】
ブロック５０６によって表されるように、アクセス端末は、ベアラ要求メッセージをネットワークエンティティ（たとえば、図７のＭＭＥ７０６）に送る。このメッセージは様々な形態をとり得る。たとえば、いくつかの実装形態では、メッセージは、ベアラリソース割振り要求またはベアラリソース修正要求などのＥＰＳ  ＳＭ（ＥＳＭ）メッセージを備え得る。ベアラ要求メッセージは、ブロック５０４において識別されたＱＣＩを含む。いくつかの実装形態では、ベアラ要求メッセージはＱｏＳ情報要素（ＩＥ）を含み、ＱｏＳ  ＩＥは今度はＱＣＩを含む。ベアラがＧＢＲに関連する場合、メッセージ（たとえば、ＩＥ）はまたビットレート情報を含み得る。ベアラがＧＢＲに関連しない場合、メッセージ（たとえば、ＩＥ）はビットレート情報を含まないことがあるか、またはビットレート情報に対して指定された無効値（たとえば、０）を有し得る。
【００４９】
ブロック５０８〜５１２によって表されるように、ネットワークエンティティは、アクセス端末によって送られたベアラ要求メッセージを受信し、メッセージ中に含まれるＱＣＩが既知であるかどうかを判断する。したがって、ネットワークエンティティは、たとえば、ＱＣＩが、ネットワークによってサポートされる（たとえば、ネットワークエンティティのメモリに記憶されたリスト中に維持される）定義されたＱＣＩのセットのメンバーであるかどうかを判断し得る。
【００５０】
ブロック５１４によって表されるように、ＱＣＩがネットワークエンティティによって知られている場合、ネットワークエンティティは、指定されたベアラを介してトラフィックを送信および受信するためにそのＱＣＩを使用する（たとえば、ネットワークエンティティは、受信したＱＣＩに基づいてベアラのベアラコンテキストを指定する）。対照的に、ＱＣＩがネットワークエンティティによって知られていない場合、ネットワークエンティティは、定義されたＱＣＩのセットからベアラのＱＣＩを選択するように動作を開始する。
【００５１】
ブロック５１６〜５２２は、ネットワークエンティティがＧＢＲ  ＱＣＩまたは非ＧＢＲ  ＱＣＩを選択するために実行する動作に関する。ブロック５１６および５１８によって表されるように、アクセス端末は、（たとえば、ブロック３１６および３１８において上述したように）ブロック５０８において受信されたＱＣＩがＧＢＲベアラに対応するかどうかを判断する。
【００５２】
ブロック５２０によって表されるように、ＱＣＩがＧＢＲベアラに対応する場合、ネットワークエンティティは、定義されたＱＣＩのセットからＧＢＲ  ＱＣＩを選択する。これは、たとえば、ブロック３２０において上述したのと同様にして実行され得る。
【００５３】
ブロック５２２によって表されるように、ＱＣＩがＧＢＲベアラに対応する場合、ネットワークエンティティは、定義されたＱＣＩのセットからＧＢＲ  ＱＣＩを選択する。これは、たとえば、ブロック３２２において上述したのと同様にして実行され得る。
【００５４】
ブロック５２４によって表されるように、ネットワークは、通信のためのリソースを割り振り、アクセス端末とネットワークとの間で、対応するトラフィックフローのためのベアラのセットアップを開始する。ここで、ブロック５１４、ブロック５２０、またはブロック５２２のＱＣＩは、ベアラを定義するために使用される。次いで、ネットワークエンティティは、（たとえば、ブロック３０６において上述したことと同様にして）ベアラセットアップメッセージをアクセス端末に送る。このベアラメッセージは、ブロック５０８において受信されたＱＣＩ、ブロック５２０において選択されたＱＣＩ、またはブロック５２２において選択されたＱＣＩを含む。この場合も、ベアラメッセージはＱｏＳ情報要素（ＩＥ）を含み、ＱｏＳ  ＩＥは今度はＱＣＩを含む。
【００５５】
ブロック５２６によって表されるように、アクセス端末は、ネットワークエンティティによって送られたベアラメッセージを受信し、メッセージ中に含まれるＱＣＩがアクセス端末によって知られている状況では、このＱＣＩを、ベアラを介した通信のために使用する。このＱＣＩがアクセス端末によって知られていない状況では、アクセス端末は、上記の図３および図４に関して説明した動作と同様の動作を実行し得る。
【００５６】
上述のように、本明細書の教示は、ＬＴＥベースのネットワークまたはいくつかの他のタイプのネットワーク中に実装され得る。ＬＴＥベースのネットワーク７００の例示的な構成要素を図７に示す。
【００５７】
図７では、ユーザ機器（ＵＥ）７０２は、ワイヤレス信号を介して（たとえば、Ｅ−ＵＴＲＡプロトコルを介して）ｅＮＢ７０４と通信する。ｅＮＢ７０４は、今度は、線７０８によって表されるＳ１−ＭＭＥ基準点を介してモビリティ管理エンティティ（ＭＭＥ）７０６と通信する。ｅＮＢ７０４はまた、線７１２によって示されるＳ１−Ｕ基準点を介してサービングゲートウェイ（ＳＧＷ）７１０と通信する。ＭＭＥ７０６は、線７１６によって示されるＳ１１基準点を介してＳＧＷ７１０と通信する。ＳＧＷ７１０は、線７２０によって示されるＳ５またはＳ８基準点を介してパケットデータネットワークゲートウェイ（ＰＧＷ）７１８と通信する。ＰＧＷ７１８は、線７２４によって示されるＳＧｉ基準点を介してパケットデータネットワーク（ＰＤＮ）７２２（たとえば、インターネットおよびＩＰマルチメディアサブシステム（ＩＭＳ））と通信する。また、ポリシーおよび課金ルール機能（ＰＣＲＦ）７２６は、線７２８によって示されるＧｘ基準点を介してＰＧＷ７１８と通信し、線７３０によって示されるＲｘ基準点を介してＰＤＮ７２２と通信する。
【００５８】
図７の例では、ＵＥ７０２はＵＥ７０２のベアラを確立するためにＭＭＥ７０６と協働する。たとえば、リソース要求に応答して、ＭＭＥ７０６は要求されたリソースを割り振り、ＵＥ７０２とＳＧＷ７１０との間の関連するベアラ（たとえば、専用ベアラ）またはＰＧＷ７１８をセットアップする。このようにして、破線７３２によって表される１つまたは複数のトラフィックフローを介して、ＵＥ７０２は、ＰＤＮ７２２（または何らかの他の好適なネットワーク接続性）を通して情報を送信および受信し得る。たとえば、ベアラが確立されると、ベアラコンテキストは、ＵＥ７０２と何らかの他のノード（たとえば、電話、サーバなど）との間の、ネットワーク７００を介した通信を可能にするために使用される。ＰＧＷ７１８が他のノードから（たとえば、ＰＤＮ７２２を介して）パケットを受信すると、ＰＧＷ７１８は、パケットヘッダ情報を、確立されたベアラのための現在アクティブなパケットフィルタと比較し、この比較に基づいて適切なベアラにパケットを割り当て得る。このようにして、ネットワークは、ＵＥ７０２にパケットをルーティングするとき、関連するＱｏＳを、本明細書で教示するＭＭＥ７０６によって選択されたＱＣＩに適用し得る。逆に、ＵＥ７０２がパケットをノードに送るとき、ＵＥ７０２は、関連するＱｏＳを、本明細書で教示するＵＥ７０２によって選択されたＱＣＩに適用し得る。
【００５９】
図８に、本明細書で教示するベアラ制御動作を実行するためにアクセス端末８０２およびネットワークエンティティ８０４などのノードに組み込まれ得る、いくつかの例示的な構成要素を示す。説明する構成要素はまた、同様の機能を与えるために通信システム中の他のノードに組み込まれ得る。また、所与のノードは、記載の構成要素のうちの１つまたは複数を含み得る。たとえば、アクセス端末は、アクセス端末が複数の周波数上で動作し、および／または様々な技術によって通信できるようにする、複数のトランシーバ構成要素を含み得る。
【００６０】
図８に示すように、アクセス端末８０２は、他のノードと通信するためのトランシーバ８０６を含む。トランシーバ８０６は、信号（たとえば、メッセージ）を送信するための送信機８０８と、信号（たとえば、メッセージ）を受信するための受信機８１０とを含む。
【００６１】
ネットワークエンティティは、他のノード（たとえば、他のネットワークノード）と通信するためのネットワークインターフェース８１２を含む。たとえば、ネットワークインターフェース８１８は、ワイヤードまたはワイヤレス接続（たとえば、バックホール）を介して信号を送るための送信機８１４と、信号を受信するための受信機８１６とを含み得る。
【００６２】
アクセス端末８０２およびネットワークエンティティ８０４は、本明細書で教示するベアラ制御動作と連携して使用され得る他の構成要素をも含む。たとえば、アクセス端末８０２は、ベアラ関連処理（たとえば、受信したＱＣＩがセット中に含まれていないと判断し、ＱＣＩを選択し、受信したＱＣＩがＧＢＲベアラに対応するかどうかを判断すること）を実行するため、および本明細書で教示する他の関連機能を与えるための（たとえば、図１のベアラ制御構成要素１０８に対応する）ベアラコントローラ８１８を含む。アクセス端末８０２はまた、情報（たとえば、定義されたＱｏＳパラメータ１１８）を記憶するため、および本明細書で教示する他の関連機能を与えるための記憶モジュール８２０（たとえば、メモリ構成要素またはメモリデバイス）を含む。同様に、ネットワークエンティティ８０４は、ベアラ関連処理を実行するため、および本明細書で教示する他の関連機能を与えるためのベアラコントローラ８２２（たとえば、ベアラ制御構成要素１１２に対応する）を含む。ネットワークエンティティ８０４はまた、情報を記憶するため、および本明細書で教示する他の関連機能を与えるための記憶モジュール８２４を含む。
【００６３】
いくつかの実装形態では、図８の構成要素は、（たとえば、この機能を与えるために（１つまたは複数の）プロセッサによって使用される情報またはコードを記憶するためにデータメモリを使用し、および／または組み込む）１つまたは複数のプロセッサ中に実装され得る。たとえば、ブロック８０６、８１８、および８２０の機能の一部または全部は、アクセス端末のプロセッサとアクセス端末のデータメモリとによって（たとえば、適切な符号の実行によっておよび／またはプロセッサ構成要素の適切な構成によって）実装され得る。同様に、ブロック８１２、８２２、および８２４の機能の一部または全部は、ネットワークエンティティのプロセッサとネットワークエンティティのデータメモリとによって（たとえば、適切な符号の実行によっておよび／またはプロセッサ構成要素の適切な構成によって）実装され得る。
【００６４】
本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立され得る。
【００６５】
ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生じる追加の次元数が利用された場合、ＭＩＭＯシステムは改善されたパフォーマンス（たとえば、より高いスループットおよび／またはより大きい信頼性）を与え得る。
【００６６】
ＭＩＭＯシステムは時分割複信（ＴＤＤ）および周波数分割複信（ＦＤＤ）をサポートし得る。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【００６７】
図９に、例示的なＭＩＭＯシステム９１０のワイヤレスデバイス９００（たとえば、アクセスポイント）およびワイヤレスデバイス９５０（たとえば、アクセス端末）を示す。デバイス９１０では、いくつかのデータストリームのトラフィックデータが、データソース９１２から送信（ＴＸ）データプロセッサ９１４に供給される。各データストリームは、次いで、それぞれの送信アンテナを介して送信され得る。
【００６８】
ＴＸデータプロセッサ９１４は、符号化データを供給するために、そのデータストリーム用に選択された特定の符号化方式に基づいて、データストリームごとにトラフィックデータをフォーマットし、符号化し、インターリーブする。各データストリームの符号化データは、ＯＦＤＭ技法を使用してパイロットデータで多重化され得る。パイロットデータは、典型的には、知られている方法で処理され、チャネル応答を推定するために受信機システムにおいて使用され得る知られているデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ９３０によって実行される命令によって判断され得る。データメモリ９３２は、プロセッサ９３０またはデバイス９１０の他の構成要素によって使用されるプログラムコード、データ、および他の情報を記憶し得る。
【００６９】
次いで、すべてのデータストリームの変調シンボルがＴＸ  ＭＩＭＯプロセッサ９２０に供給され、ＴＸ  ＭＩＭＯプロセッサ９２０はさらに（たとえば、ＯＦＤＭ用に）その変調シンボルを処理し得る。次いで、ＴＸ  ＭＩＭＯプロセッサ９２０はＮT個の変調シンボルストリームをＮT個のトランシーバ（ＸＣＶＲ）９２２Ａ〜９２２Ｔに供給する。いくつかの態様では、ＴＸ  ＭＩＭＯプロセッサ９２０は、データストリームのシンボルと、シンボルの送信元のアンテナとにビームフォーミング重みを付加する。
【００７０】
各トランシーバ９２２は、それぞれのシンボルストリームを受信し、処理して、１つまたは複数のアナログ信号を供給し、さらに、それらのアナログ信号を調整（たとえば、増幅、フィルタリング、およびアップコンバート）して、ＭＩＭＯチャネルを介して送信するのに適した変調信号を供給する。次いで、トランシーバ９２２Ａ〜９２２ＴからのＮT個の変調信号はそれぞれ、ＮT個のアンテナ９２４Ａ〜９２４Ｔから送信される。
【００７１】
デバイス９５０では、送信された変調信号はＮR個のアンテナ９５２Ａ〜９５２Ｒによって受信され、各アンテナ９５２からの受信信号は、それぞれのトランシーバ（ＸＣＶＲ）９５４Ａ〜９５４Ｒに供給される。各トランシーバ９５４は、それぞれの受信信号を調整（たとえば、フィルタリング、増幅、およびダウンコンバート）し、調整された信号をデジタル化して、サンプルを供給し、さらにそれらのサンプルを処理して、対応する「受信」シンボルストリームを供給する。
【００７２】
次いで、受信（ＲＸ）データプロセッサ９６０は、特定の受信機処理技法に基づいてＮR個のトランシーバ９５４からＮR個の受信シンボルストリームを受信し、処理して、ＮT個の「検出」シンボルストリームを供給する。次いで、ＲＸデータプロセッサ９６０は、各検出シンボルストリームを復調し、デインターリーブし、復号して、データストリームに対するトラフィックデータを復元する。ＲＸデータプロセッサ９６０による処理は、デバイス９１４におけるＴＸ  ＭＩＭＯプロセッサ９２０およびＴＸデータプロセッサ９１０によって実行される処理を補足するものである。
【００７３】
プロセッサ９７０は、どのプリコーディング行列（以下で論じる）を使用すべきかを定期的に判断する。プロセッサ９７０は、行列インデックス部とランク値部とを備える逆方向リンクメッセージを作成する。データメモリ９７２は、プロセッサ９７０またはデバイス９５０の他の構成要素によって使用されるプログラムコード、データ、および他の情報を記憶し得る。
【００７４】
逆方向リンクメッセージは、通信リンクおよび／または受信データストリームに関する様々なタイプの情報を備え得る。次いで、逆方向リンクメッセージは、データソース９３６からいくつかのデータストリームのトラフィックデータをも受信するＴＸデータプロセッサ９３８によって処理され、変調器９８０によって変調され、トランシーバ９５４Ａ〜９５４Ｒによって調整され、デバイス９１０に戻される。
【００７５】
デバイス９１０では、デバイス９５０からの変調信号は、アンテナ９２４によって受信され、トランシーバ９２２によって調整され、復調器（ＤＥＭＯＤ）９４０によって復調され、ＲＸデータプロセッサ９４２によって処理されて、デバイス９５０によって送信された逆方向リンクメッセージが抽出される。次いで、プロセッサ９３０は、ビームフォーミング重みを判断するためにどのプリコーディング行列を使用すべきかを判断し、次いで、抽出されたメッセージを処理する。
【００７６】
図９はまた、通信構成要素が、本明細書で教示するベアラ制御動作を実行する１つまたは複数の構成要素を含み得ることを示す。たとえば、ベアラ制御構成要素９９２は、デバイス９５０のプロセッサ９７０および／または他の構成要素と協働して、ベアラの確立と、変更と、使用とに関連する別のデバイス（たとえば、デバイス９１０）との間で信号を送信／受信し得る。各デバイス９１０および９５０について、説明する構成要素の２つ以上の機能が単一の構成要素によって与えられ得ることを諒解されたい。たとえば、単一の処理構成要素がベアラ制御構成要素９９２およびプロセッサ９７０の機能を与え得る。
【００７７】
本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用され得る。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、Ｕｎｉｖｅｒｓａｌ
Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装し得る。ＵＴＲＡは、Ｗ−ＣＤＭＡおよび低チップレート（ＬＣＲ）を含む。ｃｄｍａ２０００技術は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ
Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されており、ｃｄｍａ２０００は、「３ｒｄ  Ｇｅｎｅｒａｔｉｏｎ  Ｐａｒｔｎｅｒｓｈｉｐ
Ｐｒｏｊｅｃｔ  ２」（３ＧＰＰ２）と呼ばれる組織からの文書に記載されている。本開示のいくつかの態様については、３ＧＰＰ用語を使用して説明するが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  ＲｅｌＯ、ＲｅｖＡ、ＲｅｖＢ）技術および他の技術に適用され得ることを理解されたい。
【００７８】
本明細書の教示は、様々な装置（たとえば、ノード）に組み込まれ得る（たとえば、装置内に実装され得る、または装置によって実行され得る）。いくつかの態様では、本明細書の教示に従って実装されるノード（たとえば、ワイヤレスノード）はアクセスポイントまたはアクセス端末を備え得る。
【００７９】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人情報端末）、娯楽デバイス（たとえば、音楽デバイスまたはビデオデバイス、あるいは衛星ラジオ）、全地球測位システムデバイス、あるいはワイヤレス媒体を介して通信するように構成された他の好適デバイスに組み込まれ得る。
【００８０】
アクセスポイントは、ノードＢ、ｅノードＢ（ｅＮＢ）、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られることがある。
【００８１】
いくつかの態様では、ノード（たとえば、アクセスポイント）は、通信システムのためのアクセスノードを備え得る。そのようなアクセスノードは、たとえば、ネットワークへのワイヤードまたはワイヤレス通信リンクを介した、ネットワーク（たとえば、インターネットまたはセルラーネットワークなどワイドエリアネットワーク）のための、またはネットワークへの接続性を与え得る。したがって、アクセスノードは、別のノード（たとえば、アクセス端末）がネットワークまたは何らかの他の機能にアクセスできるようにし得る。さらに、一方または両方のノードはポータブルでも、場合によっては比較的非ポータブルでもよいことを諒解されたい。
【００８２】
また、ワイヤレスノードは、非ワイヤレス方式で（たとえば、ワイヤード接続を介して）情報を送信および／または受信することができることを諒解されたい。したがって、本明細書で説明する受信機および送信機は、非ワイヤレス媒体を介して通信するために適切な通信インターフェース構成要素（たとえば、電子的または光学的インターフェース構成要素）を含み得る。
【００８３】
ワイヤレスノードは、好適なワイヤレス通信技術に基づくあるいはサポートする１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明する様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用し得る。同様に、ワイヤレスノードは、様々な対応する変調方式または多重化方式のうちの１つまたは複数をサポートまたは使用し得る。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含み得る。たとえば、ワイヤレスノードは、ワイヤレス媒体上の通信を可能にする様々な構成要素（たとえば、信号発生器および信号処理器）を含み得る関連する送信機構成要素および受信機構成要素をもつワイヤレストランシーバを備え得る。
【００８４】
（たとえば、添付の図の１つまたは複数に関して）本明細書で説明する機能は、いくつかの態様では、添付の特許請求の範囲において同様に指定された「手段」機能に対応し得る。図１０を参照すると、装置１０００は一連の相互に関係する機能モジュールとして表される。ここで、受信モジュール１００２は、少なくともいくつかの態様では、たとえば、本明細書で説明する受信機に対応し得る。受信サービス品質クラス識別子(received quality of service class identifier)判断モジュール１００４は、少なくともいくつかの態様では、たとえば、本明細書で説明するベアラコントローラに対応することがある。受信サービス品質クラス識別子判断モジュール１００６は、少なくともいくつかの態様では、たとえば、本明細書で説明するベアラコントローラに対応することがある。保証ビットレートベアラ(guaranteed bit rate bearer）判断モジュール１００８は、少なくともいくつかの態様では、たとえば、本明細書で説明するベアラコントローラに対応することがある。
【００８５】
図１０のモジュールの機能は、本明細書の教示に一致する様々な方法で実装され得る。いくつかの態様では、これらのモジュールの機能は、１つまたは複数の電気構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部分を使用して実装され得る。本明細書で論じるように、集積回路は、プロセッサ、ソフトウェア、他の関連する構成要素、またはそれらの何らかの組合せを含み得る。これらのモジュールの機能はまた、本明細書で教示する方法とは別の何らかの方法で実装され得る。いくつかの態様では、図１０中の１つまたは複数の破線ブロックは随意である。
【００８６】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段の規定がない限り、要素のセットは１つまたは複数の要素を備え得る。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【００８７】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８８】
さらに、本明細書で開示した態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００８９】
本明細書で開示した態様に関して説明した様々な例示的な論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電子的構成要素、光学的構成要素、機械的構成要素、または本明細書で説明する機能を実行するように設計されたそれらの任意の組合せを備え得、ＩＣの内部に、ＩＣの外側に、またはその両方に常駐するコードまたは命令を実行し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９０】
開示されたプロセス中のステップの特定の順序または階層は例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００９１】
１つまたは複数の例示的な実施形態では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装され得ることを諒解されたい。
【００９２】
開示された態様の前述の説明は、当業者が本開示を実施または使用できるようにするために提供されるものである。これらの態様への様々な修正は当業者にはすぐに明らかになり、本明細書で定義した一般原理は本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
【図１】
2014239454.tif 000003
【図２】
2014239454.tif 000004
【図３】
2014239454.tif 000005
【図４】
2014239454.tif 000006
【図５】
2014239454.tif 000007
【図６】
2014239454.tif 000008
【図７】
2014239454.tif 000009
【図８】
2014239454.tif 000010
【図９】
2014239454.tif 000011
【図１０】
2014239454.tif 000012
【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
通信エンティティが、ベアラのためのサービス品質（ＱｏＳ）クラス識別子（ＱＣＩ）の少なくとも３つの異なるセットを保持することと、前記少なくとも３つの異なるセットは、定義されたＱＣＩのセットと、保証ビットレート（ＧＢＲ）ＱＣＩのセットと、非ＧＢＲ  ＱＣＩのセットと、を含み、
前記通信エンティティが、前記通信エンティティとベアラを設定または変更するためのメッセージを受信することと、前記メッセージは前記ベアラのＱＣＩを含み、
前記受信したＱＣＩが、前記定義されたＱＣＩのセット中に含まれているかどうかを判断することと、前記受信したＱＣＩが前記定義されたＱＣＩのセットに含まれているとき、前記定義されたＱＣＩのセットから前記受信されたＱＣＩに対応する前記ベアラのＱＣＩを選択することと、
前記受信したＱＣＩが前記定義されたＱＣＩのセットに含まれていないとき、前記受信したＱＣＩが保証ビットレートベアラに関連するかどうかを判断すること、
前記受信したＱＣＩが前記保証ビットレートベアラに関連するとき、前記ＧＢＲ  ＣＱＩのセットから、前記ベアラのための１つの前記ＧＢＲ  ＱＣＩを選択することと、
前記受信したＱＣＩが前記保証ビットレートベアラに関連しないとき、前記非ＧＢＲ  ＣＱＩのセットから、前記ベアラのための１つの前記非ＧＢＲ  ＱＣＩを選択することと、
を備える、通信の方法。
【請求項２】
前記受信したＱＣＩが保証ビットレートベアラに関連するかどうかの前記判断は、前記メッセージがビットレート情報を含んでいるかどうかを判断することを備える、請求項１に記載の方法。
【請求項３】
前記ビットレート情報が、少なくとも１つの保証ビットレート、少なくとも１つの最大ビットレート、または少なくとも１つの保証ビットレートおよび少なくとも１つの最大ビットレートを備える、請求項２に記載の方法。
【請求項４】
前記メッセージが前記ベアラのＱｏＳ情報要素をさらに含み、
前記ＱＣＩと前記ビットレート情報とが前記ＱｏＳ情報要素中に含まれる、
請求項２に記載の方法。
【請求項５】
前記非ＧＢＲ  ＱＣＩのセットから、前記ベアラのための前記非ＧＢＲ  ＱＣＩの１つを選択することは、
前記非ＧＢＲ  ＱＣＩのセットから、最高のＱｏＳを選択することと、
前記非ＧＢＲ  ＱＣＩのセットから、最低のＱｏＳを選択することと、
前記非ＧＢＲ  ＱＣＩのセットから、１つのＱｏＳをランダムに選択することと、
前記受信したＱＣＩに関連する帯域幅に最もぴったり一致する帯域幅に関連する非ＧＢＲ  ＱＣＩを選択することと、
のうちの１つを含む、請求項１に記載の方法。
【請求項６】
前記ＧＢＲ  ＣＱＩのセットから、前記ベアラのための前記ＧＢＲ  ＱＣＩの１つを選択することは、前記ＧＢＲ  ＱＣＩのセットから最高のＱｏＳを選択することを含む、請求項１に記載の方法。
【請求項７】
前記ＧＢＲ  ＣＱＩのセットから、前記ベアラのための前記ＧＢＲ  ＱＣＩの１つを選択することは、前記ＧＢＲ  ＱＣＩのセットから最低ＱｏＳを選択することを含む、請求項１に記載の方法。
【請求項８】
前記ＧＢＲ  ＣＱＩのセットから、前記ベアラのための前記ＧＢＲ  ＱＣＩの１つを選択することは、前記ＧＢＲ  ＱＣＩのセットからＱｏＳをランダムに選択することを含む、請求項１に記載の方法。
【請求項９】
前記ＧＢＲ  ＣＱＩのセットから、前記ベアラのための前記ＧＢＲ  ＱＣＩの１つを選択することは、前記受信したＱＣＩに関連する帯域幅に最もぴったり一致する帯域幅に関連するＧＢＲ  ＱＣＩを選択することを含む、請求項１に記載の方法。
【請求項１０】
前記メッセージが進化型パケットシステムセッション管理メッセージを備える、請求項１に記載の方法。
【請求項１１】
前記通信エンティティはアクセス端末であり、
前記アクセス端末は、前記選択された別のサービス品質クラス識別子に基づいて、前記ベアラを介して情報を送信および受信するためのサービス品質パラメータを指定する、
請求項１に記載の方法。
【請求項１２】
前記メッセージが、専用ベアラコンテキストアクティブ化要求、デフォルトベアラコンテキストアクティブ化要求、またはベアラコンテキスト変更要求を備える、請求項１１に記載の方法。
【請求項１３】
前記通信エンティティは、ネットワークエンティティであり、
前記ネットワークエンティティは、前記ベアラのＱｏＳパラメータを指定するために、前記選択されたＱＣＩを含む別のメッセージをアクセス端末に送る、
請求項１に記載の方法。
【請求項１４】
前記メッセージがベアラリソース割振り要求またはベアラリソース修正要求を備え、
前記別のメッセージが、専用ベアラコンテキストアクティブ化要求またはベアラコンテキスト変更要求を備える、
請求項１３に記載の方法。
【請求項１５】
ベアラのためのサービス品質（ＱｏＳ）クラス識別子（ＱＣＩ）の少なくとも３つの異なるセットを記憶するように構成されたデータストレージと、前記少なくとも３つの異なるセットは、定義されたＱＣＩのセットと、保証ビットレート（ＧＢＲ）ＱＣＩのセットと、非ＧＢＲ  ＱＣＩのセットと、を含み、
ベアラを設定または変更するためのメッセージを受信するように構成された受信機と、前記メッセージは前記ベアラのＱＣＩを含み、
ベアラコントローラと、
を備え、前記ベアラコントローラは、
前記受信したＱＣＩが、前記定義されたＱＣＩのセット中に含まれているかどうかを判断し、
前記受信したＱＣＩが前記定義されたＱＣＩのセットに含まれているとき、前記定義されたＱＣＩのセットから前記受信したＱＣＩに対応する前記ベアラのＱＣＩを選択し、
前記受信したＱＣＩが前記定義されたＱＣＩのセットに含まれていないとき、前記受信したＱＣＩが保証ビットレートベアラに関連するかどうかを判断し、
前記受信したＱＣＩが保証ビットレートベアラに関連するとき、前記ＧＢＲ  ＣＱＩのセットから、前記ベアラのための１つの前記ＧＢＲ  ＱＣＩを選択し、
前記受信したＱＣＩが保証ビットレートベアラに関連しないとき、前記非ＧＢＲ  ＣＱＩのセットから、前記ベアラのための１つの前記非ＧＢＲ  ＱＣＩを選択するように構成された、通信のための装置。
【請求項１６】
前記受信したＱＣＩが保証ビットレートベアラに対応するかどうかの前記判断は、前記メッセージがビットレート情報を含んでいるかどうかを判断することを備える、請求項１５に記載の装置。
【請求項１７】
前記ビットレート情報が、少なくとも１つの保証ビットレート、少なくとも１つの最大ビットレート、または少なくとも１つの保証ビットレートおよび少なくとも１つの最大ビットレートを備える、請求項１６に記載の装置。
【請求項１８】
前記メッセージが前記ベアラのＱｏＳ情報要素をさらに含み、
前記ＱＣＩと前記ビットレート情報とが前記ＱｏＳ情報要素中に含まれる、
請求項１６に記載の装置。
【請求項１９】
前記非ＧＢＲ  ＱＣＩのセットから、前記ベアラのための１つの非ＧＢＲ  ＱＣＩを選択することは、
前記非ＧＢＲ  ＱＣＩのセットから、最高のＱｏＳを選択することと、
前記非ＧＢＲ  ＱＣＩのセットから、最低のＱｏＳを選択することと、
前記非ＧＢＲ  ＱＣＩのセットから、１つのＱｏＳをランダムに選択することと、
前記受信したＱＣＩに関連する帯域幅に最もぴったり一致する帯域幅に関連する非ＧＢＲ  ＱＣＩを選択することと、
のうちの１つを備える、請求項１５に記載の装置。
【請求項２０】
前記装置がアクセス端末を備え、
前記ベアラを介して情報を送信および受信するためのサービス品質パラメータが、前記選択された別のサービス品質クラス識別子に基づいて指定される、
請求項１５に記載の装置。
【請求項２１】
前記ＧＢＲ  ＱＣＩのセットから、前記ベアラのための前記ＧＢＲ  ＱＣＩの１つを選択することは、
前記ＧＢＲ  ＱＣＩのセットから、最高のＱｏＳを選択することと、
前記ＧＢＲ  ＱＣＩのセットから、最低のＱｏＳを選択することと、
前記ＧＢＲ  ＱＣＩのセットから、１つのＱｏＳをランダムに選択することと、
前記受信したＱＣＩに関連する帯域幅に最もぴったり一致する帯域幅に関連する非ＧＢＲ  ＱＣＩを選択することと、
のうちの１つを備える、請求項１５に記載の装置。
【請求項２２】
ベアラのためのサービス品質（ＱｏＳ）クラス識別子（ＱＣＩ）の少なくとも３つの異なるセットを保持するための手段と、前記少なくとも３つの異なるセットは、定義されたＱＣＩのセットと、保証ビットレート（ＧＢＲ）ＱＣＩのセットと、非ＧＢＲ  ＱＣＩのセットと、を含み、
ベアラを設定または変更するためのメッセージを受信するための手段と、前記メッセージは前記ベアラのＱＣＩを含み、
前記受信したＱＣＩが、前記定義されたＱＣＩのセット中に含まれているかどうかを判断するためと、前記受信したＱＣＩが前記定義されたＱＣＩのセットに含まれているとき、前記定義されたＱＣＩのセットから前記受信したＱＣＩに対応する前記ベアラのＱＣＩを選択するための手段と、
前記受信したＱＣＩが前記定義されたＱＣＩのセットに含まれていないとき、前記受信したＱＣＩが保証ビットレートベアラに関連するかどうかを判断するための手段と、
前記受信したＱＣＩが保証ビットレートベアラに関連するとき、前記ＧＢＲ  ＣＱＩのセットから、前記ベアラのための１つのＧＢＲ  ＱＣＩを選択するための手段と、
前記受信したＱＣＩが保証ビットレートベアラに関連しないとき、前記非ＧＢＲ  ＣＱＩのセットから、前記ベアラのための１つの非ＧＢＲ  ＱＣＩを選択するための手段と、
を備える、通信のための装置。
【請求項２３】
前記受信したＱＣＩが保証ビットレートベアラに対応するかどうかの前記判断は、前記メッセージがビットレート情報を含んでいるかどうかを判断することを備える、請求項２２に記載の装置。
【請求項２４】
前記ビットレート情報が、少なくとも１つの保証ビットレート、少なくとも１つの最大ビットレート、または少なくとも１つの保証ビットレートおよび少なくとも１つの最大ビットレートを備える、請求項２３に記載の装置。
【請求項２５】
前記メッセージが前記ベアラのＱｏＳ情報要素をさらに含み、
前記ＱＣＩと前記ビットレート情報とが前記ＱｏＳ情報要素中に含まれる、
請求項２３に記載の装置。
【請求項２６】
前記非ＧＢＲ  ＱＣＩのセットから、前記ベアラのための前記非ＧＢＲ  ＱＣＩの１つを選択することは、
前記非ＧＢＲ  ＱＣＩのセットから、最高のＱｏＳを選択することと、
前記非ＧＢＲ  ＱＣＩのセットから、最低のＱｏＳを選択することと、
前記非ＧＢＲ  ＱＣＩのセットから、１つのＱｏＳをランダムに選択することと、
前記受信したＱＣＩに関連する帯域幅に最もぴったり一致する帯域幅に関連する非ＧＢＲ  ＱＣＩを選択することと、
のうちの１つを含む、請求項２２に記載の装置。
【請求項２７】
前記装置がアクセス端末を備え、
前記ベアラを介して情報を送信および受信するためのサービス品質パラメータが、前記選択された別のＱＣＩに基づいて指定される、
請求項２２に記載の装置。
【請求項２８】
前記ＧＢＲ  ＱＣＩのセットから、前記ベアラのための前記ＧＢＲ  ＱＣＩの１つを選択することは、
前記ＧＢＲ  ＱＣＩのセットから、最高のＱｏＳを選択することと、
前記ＧＢＲ  ＱＣＩのセットから、最低のＱｏＳを選択することと、
前記ＧＢＲ  ＱＣＩのセットから、１つのＱｏＳをランダムに選択することと、
前記受信したＱＣＩに関連する帯域幅に最もぴったり一致する帯域幅に関連するＧＢＲ  ＱＣＩを選択することと、
のうちの１つを含む、請求項２２に記載の装置。
【請求項２９】
ベアラのためのサービス品質（ＱｏＳ）クラス識別子（ＱＣＩ）の少なくとも３つの異なるセットを保持することと、前記少なくとも３つの異なるセットは、定義されたＱＣＩのセットと、保証ビットレート（ＧＢＲ）ＱＣＩのセットと、非ＧＢＲ  ＱＣＩのセットと、を含み、
ベアラを設定または変更するためのメッセージを受信することと、前記メッセージは前記ベアラのＱＣＩを含み、
前記受信したＱＣＩが、前記定義されたＱＣＩのセット中に含まれているかどうかを判断することと、前記受信したＱＣＩが前記定義されたＱＣＩのセットに含まれているとき、前記定義されたＱＣＩのセットから前記受信されたＱＣＩに対応する前記ベアラのＱＣＩを選択することと、
前記受信したＱＣＩが前記定義されたＱＣＩのセットに含まれていないとき、前記受信したＱＣＩが保証ビットレートベアラに関連するかどうかを判断すること、
前記受信したＱＣＩが前記保証ビットレートベアラに関連するとき、前記ＧＢＲ  ＣＱＩのセットから、前記ベアラのための１つの前記ＧＢＲ  ＱＣＩを選択することと、
前記受信したＱＣＩが前記保証ビットレートベアラに関連しないとき、前記非ＧＢＲ  ＣＱＩのセットから、前記ベアラのための１つの前記非ＧＢＲ  ＱＣＩを選択することと、
をコンピュータに行わせるためのコードを備えるコンピュータプログラム。
【請求項３０】
前記受信したＱＣＩが保証ビットレートベアラに対応するかどうかの前記判断は、前記メッセージがビットレート情報を含んでいるかどうかを判断することを備える、請求項２９に記載のコンピュータプログラム。
【請求項３１】
前記ビットレート情報が、少なくとも１つの保証ビットレート、少なくとも１つの最大ビットレート、または少なくとも１つの保証ビットレートおよび少なくとも１つの最大ビットレートを備える、請求項３０に記載のコンピュータプログラム。
【請求項３２】
前記メッセージが前記ベアラのＱｏＳ情報要素をさらに含み、
前記ＱＣＩと前記ビットレート情報とが前記ＱｏＳ情報要素中に含まれる、
請求項３０に記載のコンピュータプログラム。
【請求項３３】
前記非ＧＢＲ  ＱＣＩのセットから、前記ベアラのための前記非ＧＢＲ  ＱＣＩの１つを選択することは、
前記非ＧＢＲ  ＱＣＩのセットから、最高のＱｏＳを選択することと、
前記非ＧＢＲ  ＱＣＩのセットから、最低のＱｏＳを選択することと、
前記非ＧＢＲ  ＱＣＩのセットから、１つのＱｏＳをランダムに選択することと、
前記受信したＱＣＩに関連する帯域幅に最もぴったり一致する帯域幅に関連する非ＧＢＲ  ＱＣＩを選択することと、
のうちの１つを含む、
請求項２９に記載のコンピュータプログラム。
【請求項３４】
前記メッセージがアクセス端末によって受信され、
前記アクセス端末が、前記選択された別のＱＣＩに基づいて、前記ベアラを介して情報を送信および受信するためのＱｏＳパラメータを指定する、
請求項２９に記載のコンピュータプログラム。
【請求項３５】
前記ＧＢＲ  ＱＣＩのセットから、前記ベアラのための前記ＧＢＲ  ＱＣＩの１つを選択することは、
前記ＧＢＲ  ＱＣＩのセットから、最高のＱｏＳを選択することと、
前記ＧＢＲ  ＱＣＩのセットから、最低のＱｏＳを選択することと、
前記ＧＢＲ  ＱＣＩのセットから、１つのＱｏＳをランダムに選択することと、
前記受信したＱＣＩに関連する帯域幅に最もぴったり一致する帯域幅に関連するＧＢＲ  ＱＣＩを選択することと、
のうちの１つを含む、
請求項２９に記載のコンピュータプログラム。
【手続補正２】
【補正対象書類名】明細書
【補正対象項目名】００９２
【補正方法】変更
【補正の内容】
【００９２】
開示された態様の前述の説明は、当業者が本開示を実施または使用できるようにするために提供されるものである。これらの態様への様々な修正は当業者にはすぐに明らかになり、本明細書で定義した一般原理は本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］
ベアラのサービス品質クラス識別子を含むメッセージを受信することと、
前記受信したサービス品質クラス識別子が、定義されたサービス品質クラス識別子のセット中に含まれていないと判断することと、
前記判断の結果として前記セットから前記ベアラの別のサービス品質クラス識別子を選択することと
を備える、通信の方法。
［Ｃ２］
前記受信したサービス品質クラス識別子が保証ビットレートベアラに対応するかどうかを判断することをさらに備え、
前記別のサービス品質クラス識別子の前記選択は、前記受信したサービス品質クラス識別子が保証ビットレートベアラに対応するかどうかの前記判断に基づく、
Ｃ１に記載の方法。
［Ｃ３］
前記受信したサービス品質クラス識別子が保証ビットレートベアラに対応する場合、前記セットから保証ビットレートに関連するサービス品質クラス識別子が選択されるか、または
前記受信したサービス品質クラス識別子が保証ビットレートベアラに対応しない場合、前記セットから保証ビットレートに関連しないサービス品質クラス識別子が選択される、
Ｃ２に記載の方法。
［Ｃ４］
前記受信したサービス品質クラス識別子が保証ビットレートベアラに対応するかどうかの前記判断は、前記メッセージがビットレート情報を含んでいるかどうかを判断することを備える、Ｃ２に記載の方法。
［Ｃ５］
前記ビットレート情報が、少なくとも１つの保証ビットレート、少なくとも１つの最大ビットレート、または少なくとも１つの保証ビットレートおよび少なくとも１つの最大ビットレートを備える、Ｃ４に記載の方法。
［Ｃ６］
前記メッセージが前記ベアラのサービス品質情報要素をさらに含み、
前記サービス品質クラス識別子と前記ビットレート情報とが前記サービス品質情報要素中に含まれる、
Ｃ４に記載の方法。
［Ｃ７］
前記受信したサービス品質クラス識別子が値からなり、
前記受信したサービス品質クラス識別子が保証ビットレートベアラに対応するかどうかの前記判断は、前記値が、保証ビットレートベアラに対応する定義された値のセットのメンバーであるかどうかを判断することを備える、
Ｃ２に記載の方法。
［Ｃ８］
前記別のサービス品質クラス識別子の前記選択が、前記セットから最高サービス品質に関連するサービス品質クラス識別子を選択することを備える、Ｃ１に記載の方法。
［Ｃ９］
前記別のサービス品質クラス識別子の前記選択が、前記セットから最低サービス品質に関連するサービス品質クラス識別子を選択することを備える、Ｃ１に記載の方法。
［Ｃ１０］
前記別のサービス品質クラス識別子の前記選択が、前記セットからサービス品質クラス識別子をランダムに選択することを備える、Ｃ１に記載の方法。
［Ｃ１１］
前記別のサービス品質クラス識別子の前記選択が、前記受信したサービス品質クラス識別子に関連する帯域幅に最もぴったり一致する帯域幅に関連するサービス品質クラス識別子を選択することを備える、Ｃ１に記載の方法。
［Ｃ１２］
前記メッセージが進化型パケットシステムセッション管理メッセージを備える、Ｃ１に記載の方法。
［Ｃ１３］
前記メッセージがアクセス端末によって受信され、
前記アクセス端末が、前記選択された別のサービス品質クラス識別子に基づいて、前記ベアラを介して情報を送信および受信するためのサービス品質パラメータを指定する、
Ｃ１に記載の方法。
［Ｃ１４］
前記メッセージが、専用ベアラコンテキストアクティブ化要求、デフォルトベアラコンテキストアクティブ化要求、またはベアラコンテキスト変更要求を備える、Ｃ１３に記載の方法。
［Ｃ１５］
前記メッセージがネットワークエンティティによってアクセス端末から受信され、
前記ネットワークエンティティが、前記ベアラのサービス品質パラメータを指定するために、前記選択されたサービス品質クラス識別子を含む別のメッセージを前記アクセス端末に送る、
Ｃ１に記載の方法。
［Ｃ１６］
前記メッセージがベアラリソース割振り要求またはベアラリソース修正要求を備え、
前記別のメッセージが、専用ベアラコンテキストアクティブ化要求またはベアラコンテキスト変更要求を備える、
Ｃ１５に記載の方法。
［Ｃ１７］
ベアラのサービス品質クラス識別子を含むメッセージを受信するように構成された受信機と、
前記受信したサービス品質クラス識別子が、定義されたサービス品質クラス識別子のセット中に含まれていないと判断するように構成され、前記判断の結果として前記セットから前記ベアラの別のサービス品質クラス識別子を選択するようにさらに構成されたベアラコントローラと
を備える、通信のための装置。
［Ｃ１８］
前記ベアラコントローラは、前記受信したサービス品質クラス識別子が保証ビットレートベアラに対応するかどうかを判断するようにさらに構成され、
前記別のサービス品質クラス識別子の前記選択は、前記受信したサービス品質クラス識別子が保証ビットレートベアラに対応するかどうかの前記判断に基づく、
Ｃ１７に記載の装置。
［Ｃ１９］
前記受信したサービス品質クラス識別子が保証ビットレートベアラに対応するかどうかの前記判断は、前記メッセージがビットレート情報を含んでいるかどうかを判断すること
を備える、Ｃ１８に記載の装置。
［Ｃ２０］
前記ビットレート情報が、少なくとも１つの保証ビットレート、少なくとも１つの最大ビットレート、または少なくとも１つの保証ビットレートおよび少なくとも１つの最大ビットレートを備える、Ｃ１９に記載の装置。
［Ｃ２１］
前記メッセージが前記ベアラのサービス品質情報要素をさらに含み、
前記サービス品質クラス識別子と前記ビットレート情報とが前記サービス品質情報要素中に含まれる、
Ｃ１９に記載の装置。
［Ｃ２２］
前記受信したサービス品質クラス識別子が値からなり、
前記受信したサービス品質クラス識別子が保証ビットレートベアラに対応するかどうかの前記判断は、前記値が、保証ビットレートベアラに対応する定義された値のセットのメンバーであるかどうかを判断することを備える、
Ｃ１８に記載の装置。
［Ｃ２３］
前記装置がアクセス端末を備え、
前記ベアラを介して情報を送信および受信するためのサービス品質パラメータが、前記選択された別のサービス品質クラス識別子に基づいて指定される、
Ｃ１７に記載の装置。
［Ｃ２４］
前記メッセージが、専用ベアラコンテキストアクティブ化要求、デフォルトベアラコンテキストアクティブ化要求、またはベアラコンテキスト変更要求を備える、Ｃ２３に記載の装置。
［Ｃ２５］
ベアラのサービス品質クラス識別子を含むメッセージを受信するための手段と、
前記受信したサービス品質クラス識別子が、定義されたサービス品質クラス識別子のセット中に含まれていないと判断するための手段と、
前記判断の結果として前記セットから前記ベアラの別のサービス品質クラス識別子を選択するための手段と
を備える、通信のための装置。
［Ｃ２６］
前記受信したサービス品質クラス識別子が保証ビットレートベアラに対応するかどうかを判断するための手段をさらに備え、
前記別のサービス品質クラス識別子の前記選択は、前記受信したサービス品質クラス識別子が保証ビットレートベアラに対応するかどうかの前記判断に基づく、
Ｃ２５に記載の装置。
［Ｃ２７］
前記受信したサービス品質クラス識別子が保証ビットレートベアラに対応するかどうかの前記判断は、前記メッセージがビットレート情報を含んでいるかどうかを判断すること
を備える、Ｃ２６に記載の装置。
［Ｃ２８］
前記ビットレート情報が、少なくとも１つの保証ビットレート、少なくとも１つの最大ビットレート、または少なくとも１つの保証ビットレートおよび少なくとも１つの最大ビットレートを備える、Ｃ２７に記載の装置。
［Ｃ２９］
前記メッセージが前記ベアラのサービス品質情報要素をさらに含み、
前記サービス品質クラス識別子と前記ビットレート情報とが前記サービス品質情報要素中に含まれる、
Ｃ２７に記載の装置。
［Ｃ３０］
前記受信したサービス品質クラス識別子が値からなり、
前記受信したサービス品質クラス識別子が保証ビットレートベアラに対応するかどうかの前記判断は、前記値が、保証ビットレートベアラに対応する定義された値のセットのメンバーであるかどうかを判断することを備える、
Ｃ２６に記載の装置。
［Ｃ３１］
前記装置がアクセス端末を備え、
前記ベアラを介して情報を送信および受信するためのサービス品質パラメータが、前記選択された別のサービス品質クラス識別子に基づいて指定される、
Ｃ２５に記載の装置。
［Ｃ３２］
前記メッセージが、専用ベアラコンテキストアクティブ化要求、デフォルトベアラコンテキストアクティブ化要求、またはベアラコンテキスト変更要求を備える、Ｃ３１に記載の装置。
［Ｃ３３］
ベアラのサービス品質クラス識別子を含むメッセージを受信することと、
前記受信したサービス品質クラス識別子が、定義されたサービス品質クラス識別子のセット中に含まれていないと判断することと、
前記判断の結果として前記セットから前記ベアラの別のサービス品質クラス識別子を選択することと
をコンピュータに行わせるためのコードを備えるコンピュータ可読媒体
を備える、コンピュータプログラム製品。
［Ｃ３４］
前記コンピュータ可読媒体は、前記受信したサービス品質クラス識別子が保証ビットレートベアラに対応するかどうかを判断することを前記コンピュータに行わせるためのコードをさらに備え、
前記別のサービス品質クラス識別子の前記選択は、前記受信したサービス品質クラス識別子が保証ビットレートベアラに対応するかどうかの前記判断に基づく、
Ｃ３３に記載のコンピュータプログラム製品。
［Ｃ３５］
前記受信したサービス品質クラス識別子が保証ビットレートベアラに対応するかどうかの前記判断は、前記メッセージがビットレート情報を含んでいるかどうかを判断すること
を備える、Ｃ３４に記載のコンピュータプログラム製品。
［Ｃ３６］
前記ビットレート情報が、少なくとも１つの保証ビットレート、少なくとも１つの最大ビットレート、または少なくとも１つの保証ビットレートおよび少なくとも１つの最大ビットレートを備える、Ｃ３５に記載のコンピュータプログラム製品。
［Ｃ３７］
前記メッセージが前記ベアラのサービス品質情報要素をさらに含み、
前記サービス品質クラス識別子と前記ビットレート情報とが前記サービス品質情報要素中に含まれる、
Ｃ３５に記載のコンピュータプログラム製品。
［Ｃ３８］
前記受信したサービス品質クラス識別子が値からなり、
前記受信したサービス品質クラス識別子が保証ビットレートベアラに対応するかどうかの前記判断は、前記値が、保証ビットレートベアラに対応する定義された値のセットのメンバーであるかどうかを判断することを備える、
Ｃ３４に記載のコンピュータプログラム製品。
［Ｃ３９］
前記メッセージがアクセス端末によって受信され、
前記アクセス端末が、前記選択された別のサービス品質クラス識別子に基づいて、前記ベアラを介して情報を送信および受信するためのサービス品質パラメータを指定する、
Ｃ３３に記載のコンピュータプログラム製品。
［Ｃ４０］
前記メッセージが、専用ベアラコンテキストアクティブ化要求、デフォルトベアラコンテキストアクティブ化要求、またはベアラコンテキスト変更要求を備える、Ｃ３９に記載のコンピュータプログラム製品。
【外国語明細書】
2014239454000001.pdf